(57)【要約】【課題】画像表示装置の小型化を図る。【解決手段】画像表示装置１０は、画像を表示する表示体１２と、表示体１２の表示面に積層してＸ方向に延在し、Ｘ方向と交差するＹ方向に互いに離間した複数の電極１３と、表示体１２の表示面に積層してＹ方向に延在し、Ｘ方向に互いに離間した複数の電極１４と、表示体１２の表示面に配置され、手書きによる書き込みが行われる透明な基材１５と、表示体１２の表示面に透明な基材１５を挟んで配置され、表示体１２の表示面をＹ方向に移動する移動体１６と、移動体１６に設けられ、Ｘ方向に延在し、移動体１６の移動により表示体１２が表示する画像と透明な基材１５への書き込みとを読み取る読み取り部１７と、移動体１６に設けられ、移動体１６の移動に伴って複数の電極１３のそれぞれに順番に電圧を供給する電圧供給部１８と、を有する。【選択図】図１
2011207034.tif 000002
【特許請求の範囲】
【請求項１】
画像を表示する表示体と、
前記表示体の表示面に積層して第１の方向に延在し、前記第１の方向と交差する第２の方向に互いに離間した複数の第１の電極と、前記表示体の表示面に積層して前記第２の方向に延在し、前記第１の方向に互いに離間した複数の第２の電極とを備え、前記複数の第１及び第２の電極に供給される電圧に基づいた画像が前記表示体に表示される電極群と、
前記表示体の表示面に配置され、手書きによる書き込みが行われる透明な基材と、
前記表示体の表示面に前記透明な基材を挟んで配置され、前記表示体の表示面を前記第２の方向に移動する移動体と、
前記移動体に設けられ、前記第１の方向に延在し、前記移動体の移動により前記表示体が表示する画像と前記透明な基材への書き込みとを読み取る読み取り部と、
前記移動体に設けられ、前記移動体の移動に伴って前記複数の第１の電極のそれぞれに順番に電圧を供給する電圧供給部と、
を有することを特徴とする画像表示装置。
【請求項２】
前記読み取り部は、前記移動体に対して、前記第２の方向において前記電圧供給部よりも移動方向前方に設けられていることを特徴とする請求項１記載の画像表示装置。
【請求項３】
前記電圧供給部は、前記複数の第１の電極のそれぞれの両端または方端から、電圧を供給することを特徴とする請求項１又は２記載の画像表示装置。
【請求項４】
前記電圧供給部は、表面が電極となる電圧供給ローラを有し、前記電圧供給ローラが前記移動体の移動に伴って回転して前記複数の第１の電極のそれぞれと順番に接触することで、前記複数の第１の電極のそれぞれに順番に電圧が供給されることを特徴とする請求項１から３のいずれか１項に記載の画像表示装置。
【請求項５】
前記移動体は、前記第１の方向に延在する軸と、前記軸に取り付けられた電圧検出ローラとを有し、
前記軸には、前記電圧供給ローラが取り付けられ、
前記電圧検出ローラの表面は電極であり、前記電圧検出ローラが前記移動体の移動に伴って回転して前記複数の第１の電極のそれぞれと順番に接触することで、前記複数の第１の電極のうち、前記電圧供給ローラによる電圧供給の対象となる第１の電極を検出し、
前記電圧検出ローラが検出した第１の電極に対応する画像情報に基づいた電圧が、前記複数の第２の電極に供給されることを特徴とする請求項４記載の画像表示装置。
【請求項６】
前記移動体は、前記複数の第１の電極のち、前記電圧供給部による電圧供給の対象となる第１の電極を検出する電極検出部を有し、
前記電極検出部が検出した第１の電極に対応する画像情報に基づいた電圧が、前記複数の第２の電極に供給されることを特徴とする請求項１から４のいずれか１項に記載の画像表示装置。
【請求項７】
前記透明な基材には、書き込みが行われた用紙が添付されることを特徴とする請求項１から６のいずれか１項に記載の画像表示装置。
【請求項８】
前記表示体は、光の反射により画像を表示することを特徴とする請求項１から７のいずれか１項に記載の画像表示装置。
【請求項９】
画像を表示する表示体と、
前記表示体の表示面に積層して第１の方向に延在し、前記第１の方向と交差する第２の方向に互いに離間した複数の第１の電極と、前記表示体の表示面に積層して前記第２の方向に延在し、前記第１の方向に互いに離間した複数の第２の電極とを備え、前記複数の第１及び第２の電極に供給される電圧に基づいた画像が前記表示体に表示される電極群と、
前記表示体の表示面に配置され、手書きによる書き込みが行われる透明な基材と、
前記表示体の表示面に前記透明な基材を挟んで配置された移動体と、
前記移動体に設けられ、前記第１の方向に延在する読み取り部と、
前記移動体に設けられた電圧供給部と、
を有する画像表示装置の画像表示方法において、
前記移動体が、前記表示体の表示面を前記第２の方向に移動し、
前記読み取り部が、前記表示体が表示する画像と前記透明な基材への書き込みとを読み取り、
前記電圧供給部が、前記複数の第１の電極のそれぞれに順番に電圧を供給する、
ことを特徴とする画像表示方法。
【発明の詳細な説明】
【技術分野】
【０００１】
本発明は、画像を表示する画像表示装置、及び、画像表示方法に関する。
【背景技術】
【０００２】
ホワイトボード上に書き込まれた内容を、ホワイトボードの上方を移動するスキャナーで読み取り、読み取った内容を画像情報に変換する、スキャナー付きホワイトボードが存在する。
【０００３】
一方、ホワイトボードに、画像情報に基づいた画像を表示する表示デバイスが内蔵され、この表示デバイスの上方に、手書きによる書き込みが可能な透明なシートが配置された画像表示装置が存在する。この画像表示装置では、表示デバイスに表示された画像と、透明なシートへの書き込みとを重ねて見ることが可能となる。
【０００４】
このような、画像表示装置に対しても、上述したようなスキャナーを設けることが考えられる。この場合、表示デバイスが表示する画像と、シートへの書き込みとが、スキャナーにより読み取られる。
【０００５】
なお、画像表示装置としては、例えば、大型の反射型表示媒体でなるホワイトボードであって、反射型表示媒体の前面に透明な板材を設け、透明な板材に手書きによる追加描画を可能とした技術がある（例えば、特許文献１参照）。
【０００６】
また、板面上に沿ってスライド移動可能な透明シートを備えた電子黒板がある（例えば、特許文献２参照）。
また、電子ペーパーと、電子ペーパーの表面に重ねられた前面板とを備え、前面板は可視光を透過し、その前面にはインクを付着させることが可能なホワイトボードがある（例えば、特許文献３参照）。
【０００７】
また、表示装置の表示画面に重ね合わされるシート状物体に関して、ユーザによってシート状物体に描画される軌跡をシート状物体上に表示する表示手段を有する技術がある（
特許文献４参照）。
【先行技術文献】
【特許文献】
【０００８】
【特許文献１】特開２００７−９６７９２号公報
【特許文献２】特開平９−１６３０５３号公報
【特許文献３】特開２００４−２５５８８５号公報
【特許文献４】特開２００９−２５２０４８号公報
【発明の概要】
【発明が解決しようとする課題】
【０００９】
しかしながら、表示デバイスを内蔵するホワイトボードでは、画像を表示させるための駆動デバイスやその周辺回路が設けられるため、ホワイトボードが大型化してしまう可能性があった。
【００１０】
このような問題は、ホワイトボードに限らず、表示デバイスを内蔵する他の画像表示装置にも同様に生じ得る。
このような点に鑑み、画像表示装置の小型化が可能な画像表示装置、及び、画像表示方法を提供することを目的とする。
【課題を解決するための手段】
【００１１】
上記目的を達成するために以下のような画像表示装置が提供される。
この画像表示装置は、画像を表示する表示体と、表示体の表示面に積層して第１の方向に延在し、第１の方向と交差する第２の方向に互いに離間した複数の第１の電極と、表示体の表示面に積層して第２の方向に延在し、第１の方向に互いに離間した複数の第２の電極とを備え、複数の第１及び第２の電極に供給される電圧に基づいた画像が表示体に表示される電極群と、表示体の表示面に配置され、手書きによる書き込みが行われる透明な基材と、表示体の表示面に透明な基材を挟んで配置され、表示体の表示面を第２の方向に移動する移動体と、移動体に設けられ、第１の方向に延在し、移動体の移動により表示体が表示する画像と透明な基材への書き込みとを読み取る読み取り部と、移動体に設けられ、移動体の移動に伴って複数の第１の電極のそれぞれに順番に電圧を供給する電圧供給部と、を有する。
【発明の効果】
【００１２】
開示の画像表示装置、及び、画像表示方法によれば、駆動デバイスやその周辺回路を減らすことができるため、画像表示装置に実装される部品点数を減らすことができ、画像表示装置の小型化やコストダウンを実現させることが可能となる。
【図面の簡単な説明】
【００１３】
【図１】第１の実施の形態に係る画像表示装置の一例を示す図である。
【図２】第２の実施の形態に係る画像表示装置の外観の一例を示す図である。
【図３】第２の実施の形態に係る画像表示装置のハードウェアの一例を示す図である。
【図４】第２の実施の形態に係る画像表示装置の一例を示す平面図である。
【図５】第２の実施の形態に係る画像表示装置の一例を示す拡大平面図である。
【図６】図５の断面図である。
【図７】図５の断面図である。
【図８】第２の実施の形態に係る画像表示装置の一例を示す回路図である。
【図９】第２の実施の形態に係る画像表示装置の書き込み動作の一例を示すタイミングチャートである。
【図１０】第２の実施の形態に係る表示体の特性の一例を示す図である。
【図１１】第２の実施の形態に係る画像表示装置の処理手順の一例を示すフローチャートである。
【図１２】第２の実施の形態に係る画像表示装置の処理手順の一例を示すフローチャートである。
【図１３】第２の実施の形態に係る画像表示装置の処理手順の一例を示すフローチャートである。
【発明を実施するための形態】
【００１４】
以下、実施の形態を図面を参照して説明する。
［第１の実施の形態］
図１は、第１の実施の形態に係る画像表示装置の一例を示す図である。
【００１５】
画像表示装置１０は、ボード１１と、表示体１２と、表示体１２に対し水平方向に設けられた複数の電極１３と表示体１２に対し垂直方向に設けられた複数の電極１４とを備える電極群と、透明な基材１５と、移動体１６とを有する。
【００１６】
表示体１２は、ボード１１に設けられ、画像情報に基づいた画像を表示する。
複数の電極１３は、それぞれが、表示体１２に積層してＸ方向に延在し、Ｘ方向と交差するＹ方向に互いに離間して配置されている。複数の電極１４は、それぞれが、表示体１２に積層してＹ方向に延在し、Ｘ方向に互いに離間して配置されている。複数の電極１３及び複数の電極１４に供給される電圧に基づいた画像が、表示体１２に表示される。
【００１７】
透明な基材１５は、表示体１２の上方に配置される。透明な基材１５には、手書きによる書き込みが行われる。
移動体１６は、表示体１２の上方（表示面側）に配置された透明な基材１５を挟んで配置され、表示体１２の上方をＹ方向に移動する。さらに、移動体１６は、読み取り部１７と、電圧供給部１８とを有する。
【００１８】
読み取り部１７は、Ｘ方向に延在し、移動体１６の移動により表示体１２が表示する画像と、透明な基材１５への書き込みとを同時に読み取る。電圧供給部１８は、移動体１６の移動に伴って、複数の電極１３のそれぞれに対し、順番に電圧を供給する。
【００１９】
即ち、画像表示装置１０では、移動体１６が移動し、電圧供給部１８により複数の電極１３のそれぞれに対し、順番に電圧を供給することで、表示体１２に新しい画像を表示させることが可能となる。つまり、画像表示装置１０では、複数の電極１３を駆動する駆動デバイスの機能を、読み取り部１７が設けられた移動体１６に持たせている。
【００２０】
これにより、画像表示装置１０では、複数の電極１３を駆動する駆動デバイスをボード１１に設ける必要がなくなるため、ボード１１の面積を小さくすることが可能となり、画像表示装置１０を小型化することが可能となる。
【００２１】
次に、画像表示装置１０をより具体的にした実施の形態を、第２の実施の形態として説明する。
［第２の実施の形態］
まず、第２の実施の形態に係る画像表示装置の外観について説明する。
【００２２】
図２は、第２の実施の形態に係る画像表示装置の外観の一例を示す図である。
画像表示装置１００は、ボード１１０と、表示デバイス１２０と、クリアシート１３０と、スキャナーモジュール１４０と、レール１５０，１６０とを有する。ここで、スキャナーモジュール１４０が、第１の実施の形態に係る画像表示装置１０の移動体１６に対応し、クリアシート１３０が、第１の実施の形態に係る画像表示装置１０の透明な基材１５に対応する。
【００２３】
ボード１１０には、表示デバイス１２０と、表示デバイス１２０の両側に設けられたレール１５０，１６０とが設けられている。表示デバイス１２０には、画像情報に基づいた画像が表示される。
【００２４】
表示デバイス１２０の上方（表示面側）には、クリアシート１３０が配置されている。クリアシート１３０には、例えば、樹脂製のシートが用いられる。クリアシート１３０は透明であり、表示デバイス１２０に表示された画像を透過し、かつ、水性マーカー等による書き込みが可能なものとする。また、クリアシート１３０への書き込みは、例えば、イレーサーで消すことができる。
【００２５】
さらに、クリアシート１３０には、書き込みが行われた用紙を添付することができる。書き込みが行われた用紙の添付は、例えば、用紙をクリアシート１３０に貼り付けたり、用紙をクリアシート１３０と表示デバイス１２０との間に挟み込むことで行われる。
【００２６】
表示デバイス１２０の上方（表示面側）には、さらに、クリアシート１３０を挟んで、スキャナーモジュール１４０が配置されている。スキャナージュール１４０は、レール１５０，１６０に沿って表示デバイス１２０の上方（表示面側）を移動する。スキャナーモジュール１４０は、表示デバイス１２０の最上端に位置する最上点から、表示デバイス１２０の最下端に位置する最下端までの範囲を上下方向に移動する。
【００２７】
次に、画像表示装置１００のハードウェアについて説明する。
図３は、第２の実施の形態に係る画像表示装置のハードウェアの一例を示す図である。
画像表示装置１００は、プロセッサ１７０と、デバイスコントロール１８０と、記憶媒体リーダーライター１９０と、駆動デバイス２００と、表示デバイス１２０と、スキャナーデバイス２１０と、電圧供給デバイス２２０と、ページインジケータ２３０と、ボタン２３１，２３２，２３３とを有する。画像表示装置１００は、プロセッサ１７０により装置全体が制御されている。
【００２８】
プロセッサ１７０と、デバイスコントロール１８０と、記憶媒体リーダーライター１９０と、駆動デバイス２００と、表示デバイス１２０と、ページインジケータ２３０と、ボタン２３１，２３２，２３３とは、ボード１１０に設けられている。スキャナーデバイス２１０と、電圧供給デバイス２２０とは、スキャナーモジュール１４０に設けられている。なお、本実施の形態では電圧供給デバイス２２０がスキャナーモジュール１４０の両端に設けられているが、左右のいずれかの片側のみに設けることとしてもよい。
【００２９】
表示デバイス１２０には、例えば、光を反射して画像を表示する表示デバイスが用いられる。このような反射型の表示デバイスとして、例えば、電子ペーパーが用いられる。電子ペーパーのような反射型の表示デバイスは、表示の明るさが環境輝度に依存しているため、環境輝度が大きい場合、表示の明るさも大きくなる。このため、反射型の表示デバイスは、自発光式表示デバイスのように、見やすさのために環境輝度を低くする必要がない。例えば、反射型の表示デバイスを、会議室等で用いた場合には、室内をわざわざ暗くする必要はないため、有用である。
【００３０】
さらに、表示デバイス１２０は、複数のセグメント電極２４０と、複数のコモン電極２５０とを有する。表示デバイス１２０は、複数のセグメント電極２４０及び複数のコモン電極２５０に供給される電圧に基づいた画像を表示する。
【００３１】
スキャナーデバイス２１０は、スキャナーモジュール１４０が表示デバイス１２０の上方を移動することで、表示デバイス１２０に表示された画像、クリアシート１３０への書き込み、及び、クリアシート１３０に添付された用紙への書き込みを同時に読み取り、画像情報に変換する。
【００３２】
駆動デバイス２００は、複数のセグメント電極２４０に電圧を供給する。電圧供給デバイス２２０は、複数のコモン電極２５０に電圧を供給する。又、電圧供給デバイス２２０は、複数のコモン電極２５０のうちから電圧を供給する対象となるコモン電極を検出する。
【００３３】
記憶媒体リーダーライター１９０は、プロセッサ１７０と、スキャナーデバイス２１０と配線で接続されている。記憶媒体リーダーライター１９０は、プロセッサ１７０の命令に従い、記憶媒体に記憶された画像情報を読み出し、プロセッサ１７０に送信する。また、記憶媒体リーダーライター１９０は、プロセッサ１７０の命令に従い、スキャナーデバイス２１０が読み取った画像情報を、記憶媒体に書き込む。
【００３４】
デバイスコントロール１８０は、プロセッサ１７０と、駆動デバイス２００と、スキャナーモジュール１４０と、スキャナーデバイス２１０と、電圧供給デバイス２２０と配線で接続されている。デバイスコントロール１８０は、プロセッサ１７０からの命令に従い、駆動デバイス２００、スキャナーデバイス２１０、電圧供給デバイス２２０を制御する。また、デバイスコントロール１８０は、プロセッサ１７０からの命令に従いスキャナーモジュール１４０の移動を制御し、さらに、スキャナーモジュール１４０の位置を検出する。
【００３５】
ページインジケータ２３０は、プロセッサ１７０と配線で接続され、プロセッサ１７０の命令に従い、表示デバイス１２０に表示中の画像のページ番号を表示する。
ボタン２３１〜２３３は、プロセッサ１７０と配線で接続されて、ユーザによる押下に基づき、プロセッサ１７０に信号を送信する。ボタン２３１は、表示デバイス１２０に次ページの画像を表示するための信号を送信する「次ページ」ボタンである。ボタン２３２は、表示デバイス１２０に表示されている画像をコピーするための信号を送信する「コピー」ボタンである。ボタン２３３は、表示デバイス１２０に表示されている画像をコピーすると共に、表示デバイス１２０に次ページの画像を表示するための信号を送信する「次ページ／コピー」ボタンである。
【００３６】
次に、表示デバイス１２０とスキャナーモジュール１４０の詳細について説明する。
図４は、第２の実施の形態に係る画像表示装置の一例を示す平面図である。なお、図４では、クリアシート１３０については図示を省略している。
【００３７】
表示デバイス１２０は、表示体２６０と、複数のセグメント電極２４０と、複数のコモン電極２５０とを有している。
表示体２６０は、ボード１１０の表面１１１に設けられている。表示体２６０には、例えば、光を反射して画像を表示する表示体が用いられる。表示体２６０には、例えば、液晶が用いられる。
【００３８】
複数のコモン電極２５０のそれぞれは、表示体２６０に積層してＸ方向に延在し、Ｘ方向と交差するＹ方向に互いに離間している。即ち、複数のコモン電極２５０は、表示体２６０をＸ方向に横切って配置されている。複数のコモン電極２５０のそれぞれの両端は、表示体２６０の外側に位置している。
【００３９】
ここで、Ｘ方向は右方向に相当し、Ｙ方向は下方向に相当する。なお、複数のコモン電極２５０のうち、最も上方に位置している電極を、最上位の電極と称し、最も下方に位置している電極を、最下位の電極と称する。
【００４０】
複数のセグメント電極２４０のそれぞれは、表示体２６０に積層してＹ方向に延在し、Ｘ方向に互いに離間している。即ち、複数のセグメント電極２４０は、表示体２６０をＹ方向に横切って配置されている。
【００４１】
駆動デバイス２００は、表示体２６０に対し、上方向に配置されている。レール１５０，１６０は、上下方向に延在し、表示体２６０の両側にそれぞれ配置されている。
スキャナーモジュール１４０は、レール１５０，１６０に沿って、表示体２６０の上方を、Ｙ方向（表示体２６０の上から下方向）、及び、Ｙ方向とは反対の方向（表示体２６０の下から上方向）に移動する。スキャナーモジュール１４０は、表示体２６０の上端に位置する最上点から、表示体２６０の下端に位置する最下点までの範囲を上下方向に移動する。スキャナーデバイス２１０は、スキャナーモジュール１４０に固定されている。スキャナーデバイス２１０は、Ｘ方向に延在し、表示体２６０を横切って配置されている。
【００４２】
電圧供給デバイス２２０は、軸２７０と、電圧供給ローラ２８０，２９０と、電圧検出ローラ３００，３１０とを有する。電圧供給ローラ２８０，２９０、及び、電圧検出ローラ３００，３１０の表面は電極で形成されている。電圧供給ローラ２８０，２９０と、電圧検出ローラ３００，３１０とは、軸２７０に取り付けられている。軸２７０は、スキャナーモジュール１４０に固定されている。
【００４３】
電圧供給ローラ２８０，２９０は、スキャナーモジュール１４０の移動に伴って複数のコモン電極２５０のそれぞれに順番に電圧を供給する。電圧供給ローラ２８０，２９０は、表示体２６０の外側に位置している複数のコモン電極２５０の両端に対して、それぞれ電圧を供給する。これにより、複数のコモン電極２５０のそれぞれに対して、電極内で均等に電圧を供給することが可能となる。即ち、電極の長さに起因する電圧降下の影響を低減することが可能となる。なお、コモン電極２５０への電圧供給は、コモン電極１本ごとに行ってもよいし、複数本同時に行うようにしてもよい。
【００４４】
電圧検出ローラ３００，３１０は、スキャナーモジュール１４０の移動に伴って、複数のコモン電極２５０のそれぞれの電圧を順番に検出する。電圧検出ローラ３００，３１０は、表示体２６０の外側に位置している複数のコモン電極２５０の両端から電圧を検出する。なお、電圧検出ローラ３００，３１０による電圧検出は、コモン電極１本ごとに行ってもよいし、複数本同時に行うようにしてもよい。
【００４５】
次に、スキャナーモジュール１４０の移動機構について詳細に説明する。
図５は、第２の実施の形態に係る画像表示装置の一例を示す拡大平面図である。
なお、図５は、電圧供給ローラ２８０が設けられている側のスキャナーモジュール１４０の端部を示す拡大平面図であるが、電圧供給ローラ２９０が設けられている側の端部も同様の構造を備えている。
【００４６】
スキャナーモジュール１４０は、移動プレート３２０を有しており、この移動プレート３２０が移動することで、スキャナーモジュール１４０は移動する。移動プレート３２０は、レール１５０に設けられた溝１５１に挿入され、溝１５１に沿って移動する。軸２７０は、移動プレート３２０に回転自在に取り付けられている。
【００４７】
移動プレート３２０には、さらに、軸２７０が取り付けられる側とは反対側に、軸３３０が回転自在に取り付けられている。軸３３０には、歯車３４０が取り付けられている。歯車３４０は、移動プレート３２０の移動に伴って、レール１５０上に設けられたＹ方向に延在する歯台３５０と噛み合って回転する。歯車３４０が歯台３５０と噛み合うことで、スキャナーモジュール１４０がＸ方向、及び、その反対の方向にずれることを抑制できる。
【００４８】
図６は、図５の断面図である。図６は、図５の点線Ａ−Ａで示す箇所の断面図に相当する。
移動プレート３２０のうち、レール１５０の溝１５１に挿入された箇所は、レール１５０内を移動するベルト３６０に固定されている。さらに移動プレート３２０の溝１５１に挿入された箇所には、ボード１１０の表面１１１方向においてレール１５０の内壁との距離を一定に保つゴム車３７０と、ボード１１０の厚さ方向においてレール１５０の内壁との距離を一定に保つゴム車３８０とが取り付けられている。
【００４９】
また、ボード１１０の表面１１１上には、ガラス基板３９０が形成され、このガラス基板３９０上に複数のコモン電極２５０が形成されている。さらに、複数のコモン電極２５０が形成されたガラス基板３９０上に表示体２６０が形成され、表示体２６０上に複数のセグメント電極２４０が形成されている。さらに、複数のセグメント電極２４０が形成された表示体２６０上には、樹脂基板４００が形成されている。
【００５０】
複数のコモン電極２５０の端部は、表示体２６０及び樹脂基板４００の外側に位置し、表示体２６０及び樹脂基板４００から露出している。電圧供給ローラ２８０、及び、電圧検出ローラ３００は、表示体２６０及び樹脂基板４００から露出した複数のコモン電極２５０の端部と接触している。
【００５１】
図７は、図５の断面図である。図７（Ａ）は、図５における点線Ｂ−Ｂで示す箇所の断面図に相当する。
電圧供給ローラ２８０は、移動プレート３２０の移動に伴って回転して、複数のコモン電極２５０のそれぞれと順番に接触する。これにより、複数のコモン電極２５０のそれぞれに順番に電圧が供給される。
【００５２】
また、図示はしていないが、電圧検出ローラ３００も同様に、移動プレート３２０の移動に伴って回転して、複数のコモン電極２５０のそれぞれと順番に接触する。これにより、複数のコモン電極２５０の電圧を順番に検出する。
【００５３】
なお、ここで、スキャナーデバイス２１０は、Ｙ方向において、電圧供給ローラ２８０、及び、電圧検出ローラ３００よりも前方に位置している。
また、電圧供給ローラ２８０と、電圧検出ローラ３００とは、複数のコモン電極２５０に対して、同じタイミングで共通のコモン電極と接触する。
【００５４】
図７（Ｂ）は、図５における点線Ｃ−Ｃで示す箇所の断面図に相当する。
ベルト３６０は、Ｙ方向、及び、Ｙ方向の反対の方向に移動する。ベルト３６０の移動は、デバイスコントロール１８０によって制御されている。ベルト３６０は、例えば、図示しない動力源を備える回転体に取り付けられ、回転体の回転によって移動する。これにより、移動プレート３２０が移動して、歯車３４０が歯台３５０と噛み合って回転する。
【００５５】
次に、画像表示装置１００の書き込み動作について説明する。
図８は、第２の実施の形態に係る画像表示装置の一例を示す回路図である。
画像表示装置１００は、駆動制御回路１８１、電圧発生器１８２，１８４、カウンター１８３、及び、駆動ドライバ２０１を有する。ここで、駆動制御回路１８１、電圧発生器１８２，１８４、及び、カウンター１８３は、デバイスコントロール１８０に設けられている。また、駆動ドライバ２０１は、駆動デバイス２００に設けられている。
【００５６】
駆動制御回路１８１は、プロセッサ１７０に接続され、記憶媒体に記憶された画像情報に基づいて、１ライン分の画素情報（ＤＡＴＡ［１：０］）を、シフトクロック信号（ＳＣＬＫ）に同期させて、駆動ドライバ２０１に転送する。さらに、駆動制御回路１８１は、ラッチ信号（ＬＡＴＣＨ）及びフレーム信号（ＦＲ）を駆動ドライバ２０１に送信する。
【００５７】
さらに、駆動制御回路１８１は、電源イネーブル信号及び電圧選択信号を電圧発生器１８２に送信する。さらに、駆動制御回路１８１は、電源イネーブル信号及びフレーム信号を電圧発生器１８４に送信する。
【００５８】
電圧発生器１８２は、電源イネーブル信号に応じて、電圧選択信号により選択された電圧を駆動ドライバ２０１に供給する。電圧発生器１８４は、電源イネーブル信号に応じて、フレーム信号に基づいた電圧を電圧供給ローラ２８０，２９０を介して、複数のコモン電極２５０に供給する。
【００５９】
カウンター１８３は、電圧検出ローラ３００，３１０による複数のコモン電極１５０の検出をカウントし、カウント値を駆動制御回路１８１に送信する。
駆動ドライバ２０１は、ラッチ信号を受信すると、画素情報に基づいた電圧（ＳＥＧ＿ｏｕｔ１，ＳＥＧ＿ｏｕｔ２，ＳＥＧ＿ｏｕｔ３，・・・ＳＥＧ＿ｏｕｔｎ）を、複数のセグメント電極２４０にそれぞれ供給する。また、駆動ドライバ２０１は、フレーム信号を受信すると、複数のセグメント電極２４０に供給する電圧を反転させる。
【００６０】
なお、表示体２６０には、複数のセグメント電極２４０に供給される電圧と、複数のコモン電極２５０に供給される電圧との合成電圧が印加される。例えば、複数のセグメント電極２５０に供給される電圧が「＋４０Ｖ」で、複数のコモン電極に供給される電圧が「＋０Ｖ」の場合、表示体２６０には「＋４０Ｖ」が印加される。
【００６１】
図９は、第２の実施の形態に係る画像表示装置の書き込み動作の一例を示すタイミングチャートである。
まず、電圧検出ローラ３００，３１０が移動して複数のコモン電極２５０のうちの１つを検出すると、カウンター１８３がカウントアップ、又は、カウントダウンし、カウント値を駆動制御回路１８１に送信する。すると、駆動制御回路１８１が、受信したカウント値に対応する１ライン分の画素情報（ＤＡＴＡ［１：０］）を、シフトクロック（ＳＣＬＫ）に同期させて、駆動ドライバ２０１に転送する。
【００６２】
次に、駆動制御回路１８１が、１ライン分の画素情報の転送を完了すると、ラッチ信号（ＬＡＴＣＨ）をドライバ２１０に送信する。さらに、駆動制御回路１８１が、フレーム信号（ＦＲ）を駆動ドライバ２１０と電圧発生器１８４に送信する。
【００６３】
次に、駆動ドライバ２０１が、画素情報に基づいた電圧（ＳＥＧ＿ｏｕｔ１〜ｎ）を、複数のセグメント電極２４０にそれぞれ供給する。これにより、１ライン分の画像が表示体２６０に書き込まれる。
【００６４】
スキャナーモジュール１４０の移動に伴い、電圧検出ローラ３００，３１０は、コモン電極を順次、検出する。そのため、書き込み動作は、この検出毎に行われる。即ち、スキャナーモジュール１４０が、最上点から最下点までの範囲を移動して、電圧検出ローラ３００，３１０が複数のコモン電極２５０を全て検出すると、表示体２６０への画像の書き込みが完了する。
【００６５】
ここで、電圧（ＳＥＧ＿ｏｕｔ１〜ｎ）の供給は、時分割で供給される。ここでは、４階調の表示方法を用いており、画素情報に基づいた電圧を４分割に時分割して送信している。なお、階調を増やす場合は、時分割区間を増やせばよい。
【００６６】
また、それぞれの時分割区間において、複数のセグメント電極２４０に供給される電圧と、複数のコモン電圧２５０に供給される電圧とが、５０％デューティーのフレーム信号に同期して反転するように、駆動ドライバ２０１、電圧発生器１８４は電圧を供給する。
【００６７】
次に、階調表示させるには、どのタイミングで電圧を印加すればよいかを例を用いて説明する。ここでは、表示体２６０に、液晶を材料とし、光を反射して画像を表示する表示体を用いた場合を例に説明する。
【００６８】
例えば、図９に示すように、ＳＥＧ＿ｏｕｔ１に、画素情報「０」（黒）に対応した電圧を印加するとする。この場合、１番目の時分割区間には「＋４０Ｖ」が印加され、２番目〜４番目の時分割区間には「＋２０Ｖ」が印加される。この場合、１番目の時分割区間において表示体２６０は白く反射する。続いて、２番目、３番目、４番目の時分割区間において、電圧が印加される累積時間に応じて、表示体２６０が黒くなっていく。即ち、表示体２６０の反射率が、電圧と時間に応じて落ちていく。
【００６９】
また、ＳＥＧ＿ｏｕｔｎに、画素情報「３」（白）に対応した電圧を印加するとする。この場合、１番目の時分割区間には「＋４０Ｖ」が印加され、２番目〜４番目の時分割区間には「＋０Ｖ」が印加される。この場合、１番目の時分割区間において表示体２６０は白く反射し、その後の時分割区間においても、表示体２６０は白く反射したままとなる。
【００７０】
これらの表示方法は、表示体２６０の特性に基づくものである。
図１０は、第２の実施の形態に係る表示体の特性の一例を示す図である。
表示体２６０における、印加電圧（Ｖ）と反射率（Ｒ）の関係は、例えば、図１０（Ａ）に示す特性２６０ａとなる。例えば、「＋４０Ｖ」を表示体２６０に印加すると、反射率は最大値となり、表示体２６０を白く反射させることができる。
【００７１】
次に、表示体２６０に「＋４０Ｖ」を印加した状態から、中間電位「＋２０Ｖ」を印加すると、累積時間に応じて反射率が異なる。これは、表示体２６０に加わるエネルギーで反射率が異なるためである。例えば、反射率（Ｒ）は、図１０（Ｂ）の特性２６０ｂに示すように、印加電圧（Ｖ）と累積時間（ｍｓ）に依存する。例えば、反射率（Ｒ）は、次の式で表される。
【００７２】
反射率＝（印加電圧）2×（時間）
このように、表示体２６０では、中間電位「＋２０Ｖ」を印加する累積時間に応じて反射率が下がっていく。この特性を、第２の実施の形態では、階調表示方法に利用している。
【００７３】
次に、画像表示装置１００の読み取り動作について説明する。
スキャナーモジュール１４０の移動に伴い、スキャナーデバイス２１０が表示体２６０の情報を移動し、下方に位置する表示体２６０のコモンラインの画像を順次読み取る。画像の読み取りは、例えば、反射光を受光することで行われる。
【００７４】
そして、スキャナーデバイス２１０は、読み取った画像を画像情報に変換する。画像情報への変換は、例えば、受光した光を、波長と強さに応じてデジタル化することで行われる。スキャナーデバイス２１０が変換した画像情報は、デバイスコントロール１８０による制御により、順次、記憶媒体リーダーライター１９０によって記憶媒体に書き込まれる。
【００７５】
スキャナーモジュール１４０が、最上点から最下点までの範囲を移動して、スキャナーデバイス２１０が表示体２６０の上方を全て移動すると、表示体２６０に表示された画像の読み取りが完了する。
【００７６】
次に、画像表示装置１００において、ボタン２３１〜２３３が押下されたときの処理手順について説明する。
まず、「次ページ」のボタン２３１が押下されたときの手順について説明する。
【００７７】
図１１は、第２の実施の形態における画像表示装置の処理手順の一例を示すフローチャートである。
以下の処理は、ボタン２３１が押下されることで開始される。
【００７８】
［ステップＳ１０］デバイスコントロール１８０が、スキャナーモジュール１４０の位置が最上点かどうかを判定する。デバイスコントロール１８０は、スキャナーモジュール１４０の位置が最上点の場合、処理をステップＳ１３に進める。デバイスコントロール１８０は、スキャナーモジュール１４０の位置が最上点ではない場合、処理をステップＳ１１に進める。
【００７９】
［ステップＳ１１］デバイスコントロール１８０が、スキャナーモジュール１４０の位置が最下点かどうかを判定する。デバイスコントロール１８０は、スキャナーモジュール１４０の位置が最下点の場合、処理をステップＳ１７に進める。デバイスコントロール１８０は、スキャナーモジュール１４０の位置が最下点ではない場合、処理をステップＳ１２に進める。
【００８０】
［ステップＳ１２］デバイスコントロール１８０が、スキャナーモジュール１４０を最上点に移動する。
［ステップＳ１３］デバイスコントロール１８０が、スキャナーモジュール１４０の下方向への移動を開始する。
【００８１】
［ステップＳ１４］デバイスコントロール１８０が、電圧検出ローラ３００，３１０により、複数のコモン電極２５０のうちの１つのコモン電極を検出する。
［ステップＳ１５］デバイスコントロール１８０が、ステップＳ１４で検出したコモン電極に対応する１ライン分の次ページの画像の書き込み動作を実行する。
【００８２】
［ステップＳ１６］デバイスコントロール１８０が、ステップＳ１４で検出したコモン電極が最下位の電極かどうかを検出する。デバイスコントロール１８０は、検出したコモン電極が最下位の電極である場合、処理をステップＳ２１に進める。デバイスコントロール１８０は、検出したコモン電極が最下位の電極ではない場合、処理をステップＳ１４に進める。
【００８３】
［ステップＳ１７］デバイスコントロール１８０が、スキャナーモジュール１４０の上方向への移動を開始する。
［ステップＳ１８］デバイスコントロール１８０が、電圧検出ローラ３００，３１０により、複数のコモン電極２５０のうちの１つのコモン電極を検出する。
【００８４】
［ステップＳ１９］デバイスコントロール１８０が、ステップＳ１８で検出したコモン電極に対応する１ライン分の次ページの画像の書き込み動作を実行する。
［ステップＳ２０］デバイスコントロール１８０が、ステップＳ１８で検出したコモン電極が最上位の電極かどうかを検出する。デバイスコントロール１８０は、検出したコモン電極が最上位の電極である場合、処理をステップＳ２１に進める。デバイスコントロール１８０は、検出したコモン電極が最上位の電極ではない場合、処理をステップＳ１８に進める。
【００８５】
［ステップＳ２１］デバイスコントロール１８０が、スキャナーモジュール１４０の移動を停止させて処理を終了する。
このような手順により、表示体２６０に表示される画像を次ページの画像に書き換えることが可能となる。
【００８６】
次に、「コピー」のボタン２３２が押下されたときの手順について説明する。
図１２は、第２の実施の形態における画像表示装置の処理手順の一例を示すフローチャートである。
【００８７】
以下の処理は、ボタン２３２が押下されることで開始される。
［ステップＳ３０］デバイスコントロール１８０が、スキャナーモジュール１４０の位置が最上点かどうかを判定する。デバイスコントロール１８０は、スキャナーモジュール１４０の位置が最上点の場合、処理をステップＳ３３に進める。デバイスコントロール１８０は、スキャナーモジュール１４０の位置が最上点ではない場合、処理をステップＳ３１に進める。
【００８８】
［ステップＳ３１］デバイスコントロール１８０が、スキャナーモジュール１４０の位置が最下点かどうかを判定する。デバイスコントロール１８０は、スキャナーモジュール１４０の位置が最下点の場合、処理をステップＳ３４に進める。デバイスコントロール１８０は、スキャナーモジュール１４０の位置が最下点ではない場合、処理をステップＳ３２に進める。
【００８９】
［ステップＳ３２］デバイスコントロール１８０が、スキャナーモジュール１４０を最上点に移動する。
［ステップＳ３３］デバイスコントロール１８０が、スキャナーモジュール１４０の下方向への移動を開始する。
【００９０】
［ステップＳ３４］デバイスコントロール１８０が、スキャナーモジュール１４０の上方向への移動を開始する。
［ステップＳ３５］デバイスコントロール１８０が、スキャナーデバイス２１０を用いて画像の読み取り動作を開始する。
【００９１】
［ステップＳ３６］デバイスコントロール１８０が、スキャナーモジュール１４０の移動を停止する。
［ステップＳ３７］デバイスコントロール１８０が、スキャナーデバイス２１０を用いた画像の読み取り動作を停止して処理を終了する。
【００９２】
このような手順により、表示体２６０に表示された画像、クリアシート１３０への書き込み、及び、クリアシート１３０に添付された用紙への書き込みを読み取ることが可能となる。
【００９３】
次に、「次ページ／コピー」のボタン２３３が押下されたときの手順について説明する。
図１３は、第２の実施の形態における画像表示装置の処理手順の一例を示すフローチャートである。
【００９４】
以下の処理は、ボタン２３３が押下されることで開始される。
［ステップＳ４０］デバイスコントロール１８０が、スキャナーモジュール１４０の位置が最上点かどうかを判定する。デバイスコントロール１８０は、スキャナーモジュール１４０の位置が最上点の場合、処理をステップＳ４２に進める。デバイスコントロール１８０は、スキャナーモジュール１４０の位置が最上点ではない場合、処理をステップＳ４１に進める。
【００９５】
［ステップＳ４１］デバイスコントロール１８０が、スキャナーモジュール１４０を最上点に移動する。
［ステップＳ４２］デバイスコントロール１８０が、スキャナーモジュール１４０の下方向への移動を開始する。
【００９６】
［ステップＳ４３］デバイスコントロール１８０が、スキャナーデバイス２１０を用いて画像の読み取り動作を開始する。
［ステップＳ４４］デバイスコントロール１８０が、電圧検出ローラ３００，３１０により、複数のコモン電極２５０のうちの１つのコモン電極を検出する。
【００９７】
［ステップＳ４５］デバイスコントロール１８０が、ステップＳ４４で検出したコモン電極に対応する１ライン分の次ページの画像の書き込み動作を実行する。
［ステップＳ４６］デバイスコントロール１８０が、ステップＳ４４で検出したコモン電極が最下位の電極かどうかを検出する。デバイスコントロール１８０は、検出したコモン電極が最下位の電極である場合、処理をステップＳ４７に進める。デバイスコントロール１８０は、検出したコモン電極が最下位の電極ではない場合、処理をステップＳ４４に進める。
【００９８】
［ステップＳ４７］デバイスコントロール１８０が、スキャナーモジュール１４０の移動を停止する。
［ステップＳ４８］デバイスコントロール１８０が、スキャナーデバイス２１０を用いた画像の読み取り動作を停止して処理を終了する。
【００９９】
このような手順により、表示体２６０に表示された画像、クリアシート１３０への書き込み、及び、クリアシート１３０に添付された用紙への書き込みを読み取るとともに、表示体２６０に次ページの画像を書き込むことが可能となる。即ち、画像の読み取りと画像の書き込みを同時に行うことが可能となる。
【０１００】
以上のように、画像表示装置１００では、スキャナーモジュール１４０に、スキャナーモジュール１４０の移動に伴って複数のコモン電極２５０のそれぞれに順番に電圧を供給する電圧供給ローラ２８０，２９０が設けられている。これにより、複数のコモン電極２５０を駆動する駆動デバイスを、ボード１１０に設ける必要がなくなるため、ボード１１０の面積を小さくすることが可能となり、画像表示装置１００を小型化することが可能となる。
【０１０１】
さらに、画像表示装置１００では、スキャナーモジュール１４０の移動方向において、スキャナーデバイス２１０が電圧供給ローラ２８０，２９０よりも前方に設けられている。これにより、表示体２６０の一部に対して、スキャナーモジュール１４０により表示する画像が読み取られた後に、電圧供給ローラ２８０，２９０による書き込みが行われる。このため、読み取り動作と書き込み動作とを、スキャナーモジュール１４０を一度移動することで行うことができ、動作を高速化させることが可能となる。
【０１０２】
さらに、画像表示装置１００では、電圧供給ローラ２８０，２９０は、複数のコモン電極２５０のそれぞれの両端に対して、電圧を供給する。これにより、複数のコモン電極２５０のそれぞれに対して、電極内で均等に電圧を供給することが可能となる。即ち、電極の長さに起因する電圧降下の影響を低減することが可能となる。
【符号の説明】
【０１０３】
１０  画像表示装置
１１  ボード
１２  表示体
１３，１４  複数の電極
１５  透明な基材
１６  移動体
１７  読み取り部
１８  電圧供給部
【図１】
2011207034.tif 000003
【図２】
2011207034.tif 000004
【図３】
2011207034.tif 000005
【図４】
2011207034.tif 000006
【図５】
2011207034.tif 000007
【図６】
2011207034.tif 000008
【図７】
2011207034.tif 000009
【図８】
2011207034.tif 000010
【図９】
2011207034.tif 000011
【図１０】
2011207034.tif 000012
【図１１】
2011207034.tif 000013
【図１２】
2011207034.tif 000014
【図１３】
2011207034.tif 000015